(57)【特許請求の範囲】
【請求項１】
最低限４個の電極を用いて眼電位を検出する装置において、
左眼側第１電極と右眼側第１電極が、左右両眼の中心を結ぶ線よりも上側に配置され、前記左右両眼の中心を結ぶ線の中点から垂直方向に引いた線に対して線対称に配置され、
左眼側第２電極と右眼側第２電極が、前記左右両眼の中心を結ぶ線よりも下側に配置され、前記左右両眼の中心を結ぶ線の中点から垂直方向に引いた線に対して線対称に配置され、
前記左眼側第２電極は、左眼中心位置を通る垂線を左右に跨ぐと眼電位の検出極性が変る変曲域を含む左所定範囲を避けて配置され、
前記右眼側第２電極は、右眼中心位置を通る垂線を左右に跨ぐと眼電位の検出極性が変る変曲域を含む右所定範囲を避けて配置され、
前記左眼側第１電極は、前記左眼中心位置を通る垂線と前記右眼中心位置を通る垂線とで挟まれる領域の内側で、前記左所定範囲を避けて配置され、
前記右眼側第１電極は、前記左眼中心位置を通る垂線と前記右眼中心位置を通る垂線とで挟まれる領域の内側で、前記右所定範囲を避けて配置され、
前記左眼側第１電極と前記左眼側第２電極は左眼球の中心位置から点対称に配置され、
前記右眼側第１電極と前記右眼側第２電極は右眼球の中心位置から点対称に配置され、
前記左眼側第２電極と前記右眼側第２電極の間隔は前記左右両眼の中心間隔よりも所定値以上広くなるように配置され、
前記左眼側第２電極と前記右眼側第２電極から左右方向の眼動に対応した第１チャネル信号を検出し、
前記右眼側第１電極と前記右眼側第２電極から第２チャネル信号を検出し、
前記左眼側第１電極と前記左眼側第２電極から第３チャネル信号を検出し、
左右方向の眼動に対して前記第２チャネル信号と前記第３チャネル信号が逆相となる期間において、前記第１チャネル信号により前記左右方向の眼動を検出するように構成した眼電位検出装置。
【請求項２】
前記第１チャネル信号、前記第２チャネル信号、または前記第３チャネル信号に対して眼動に関するキャリブレーションを行うときに、ユーザの視線が向く位置に配設される１以上のマーカーを備えた、請求項１に記載の眼電位検出装置。
【請求項３】
ユーザの顔面に接するフレームを持ち、このフレームに、請求項１に記載された眼電位検出装置が組み込まれたアイウエア。
【請求項４】
請求項１に記載された眼電位検出装置が組み込まれたフレーム。
【請求項５】
前記第１チャネル信号と前記第２チャネル信号と前記第３チャネル信号に基づいて、瞬目（瞬き）、眼瞑り、左右の眼動、上下の眼動、または左右のウインクを検出するように構成した、請求項１に記載の眼電位検出装置。
【請求項６】
前記所定値が、平均的な大人の左右眼球の直径の和よりも大きくなるように構成した、請求項１に記載の眼電位検出装置。
【請求項７】
左眼側第１電極と右眼側第１電極が、左右両眼の中心を結ぶ線よりも上側に配置され、前記左右両眼の中心を結ぶ線の中点から垂直方向に引いた線に対して線対称に配置され、
左眼側第２電極と右眼側第２電極が、前記左右両眼の中心を結ぶ線よりも下側に配置され、前記左右両眼の中心を結ぶ線の中点から垂直方向に引いた線に対して線対称に配置され、
前記左眼側第２電極は、左眼中心位置を通る垂線を左右に跨ぐと眼電位の検出極性が変る変曲域を含む左所定範囲を避けて配置され、
前記右眼側第２電極は、右眼中心位置を通る垂線を左右に跨ぐと眼電位の検出極性が変る変曲域を含む右所定範囲を避けて配置され、
前記左眼側第１電極は、前記左眼中心位置を通る垂線と前記右眼中心位置を通る垂線とで挟まれる領域の内側で、前記左所定範囲を避けて配置され、
前記右眼側第１電極は、前記左眼中心位置を通る垂線と前記右眼中心位置を通る垂線とで挟まれる領域の内側で、前記右所定範囲を避けて配置され、
前記左眼側第１電極と前記左眼側第２電極は左眼球の中心位置から点対称に配置され、
前記右眼側第１電極と前記右眼側第２電極は右眼球の中心位置から点対称に配置され、
前記左眼側第２電極と前記右眼側第２電極の間隔は前記左右両眼の中心間隔よりも所定値以上広くなるように配置された装置を用いる眼電位検出方法において、
前記左眼側第２電極と前記右眼側第２電極から左右方向の眼動に対応した第１チャネル信号を検出し、
前記右眼側第１電極と前記右眼側第２電極から第２チャネル信号を検出し、
前記左眼側第１電極と前記左眼側第２電極から第３チャネル信号を検出し、
左右方向の眼動に対して前記第２チャネル信号と前記第３チャネル信号が逆相となる期間において、前記第１チャネル信号により前記左右方向の眼動を検出するように構成した眼電位検出方法。
【請求項８】
前記第１チャネル信号と前記第２チャネル信号と前記第３チャネル信号に対してユーザ毎にキャリブレーションを行う請求項７に記載の眼電位検出方法。
【発明の詳細な説明】
【技術分野】
【０００１】
この発明の実施形態は、帯電した眼球の動きに対応して変化する眼電位を検出する装置および方法、さらには、アイウエア及びフレームに関する。
【背景技術】
【０００２】
人の眼球運動による眼電に基づいてその人の視野領域を抽出する公知例１がある（特許文献１参照）。この公知例１では、眼電検出にＥＯＧ（Electro-Oculography）電極を用いている（段落００２２）。公知例１に係る視野領域抽出装置は、使用者の眼球運動による眼電位から使用者の視線位置を検出する手段と、検出された視線位置を基準にして、予め設定された範囲からなる使用者の視野領域を使用者が視する映像から抽出する手段を備えている。この公知例１は、眼電を視線位置の検出に利用しているが、種々な眼動（上下左右方向の視線移動、左右両目の瞬目（瞬き）や目瞑り、左目または右目のウインクなど）を区別して検出し、検出した種々な眼動をコンピュータ情報入力に利用することはしていない。
【０００３】
他方、種々な眼動を区別して検出できる公知例２がある（特許文献２参照）。この公知例２に係るアイウエア（メガネ型ウエアラブル端末の一形態）では、メガネのノーズパッド部分とアイフレーム間のブリッジ（使用者の眉間の前にくる部分）にＥＯＧ電極を設けて、使用者の眼動にともなう眼電位の変化を検出している。使用者の眼動の種類（上下左右動や瞬目（瞬き）など）によって眼電位の変化の仕方が変わる。このことを利用して、アイウエアを装着した使用者は、眼動の種類に応じた情報をコンピュータ等に入力できる（段落００１８）。
【先行技術文献】
【特許文献】
【０００４】
【特許文献１】特開２００９−２８８５２９号公報
【特許文献２】特開２０１３−２４４３７０号公報
【発明の概要】
【発明が解決しようとする課題】
【０００５】
ノーズパッドに電極を設けた公知例２では、検出される眼電位が小さく残留ノイズの影響を受けやすい。そのため、眼電位に基づく眼動あるいは視線方向の検出を高精度で行うことが難しい。大きな眼電位を検出できれば、ノイズフロアから検出信号ピークレベルまでの振幅が大きくなる。すると、その大きな振幅の中に複数の閾値を設定することもでき、その閾値数分、検出情報量を増やすことができる。換言すると、ノイズに影響され難くなる分、種々な眼動の高精度検出に対応し易くなる。
【０００６】
公知例１の図４に示されるような電極Ａ〜Ｃの配置なら、公知例２よりも大きな眼電位を検出できると思われる。しかし、公知例１と公知例２ではＥＯＧの電極配置構成が全く異なるため、公知例１の電極構造を公知例２のノーズパッドに適用することはできない。従い、公知例１のＥＯＧ電極配置（検出眼電位大）を公知例２のアイフレーム（種々な眼動検出に対応可能）に適用して、種々な眼動の検出に対応し易くしようとすることは、想到し難い。
【０００７】
この発明の実施形態により解決しようとする課題の１つは、なるべく大きな眼電位を検出できるようにして、種々な眼動の高精度検出に対応し易くすることである。
【課題を解決するための手段】
【０００８】
一実施の形態に係る眼電位検出装置において、左眼側第１電極と右眼側第１電極が、左右両眼の中心を結ぶ線よりも上側に配置され、前記左右両眼の中心を結ぶ線の中点から垂直方向に引いた線に対して線対称に配置され、左眼側第２電極と右眼側第２電極が、前記左右両眼の中心を結ぶ線よりも下側に配置され、前記左右両眼の中心を結ぶ線の中点から垂直方向に引いた線に対して線対称に配置され、前記左眼側第２電極は、左眼中心位置を通る垂線を左右に跨ぐと眼電位の検出極性が変る変曲域を含む左所定範囲を避けて配置され、前記右眼側第２電極は、右眼中心位置を通る垂線を左右に跨ぐと眼電位の検出極性が変る変曲域を含む右所定範囲を避けて配置され、前記左眼側第１電極は、前記左眼中心位置を通る垂線と前記右眼中心位置を通る垂線とで挟まれる領域の内側で、前記左所定範囲を避けて配置され、前記右眼側第１電極は、前記左眼中心位置を通る垂線と前記右眼中心位置を通る垂線とで挟まれる領域の内側で、前記右所定範囲を避けて配置され、前記左眼側第１電極と前記左眼側第２電極は左眼球の中心位置から点対称に配置され、前記右眼側第１電極と前記右眼側第２電極は右眼球の中心位置から点対称に配置され、前記左眼側第２電極と前記右眼側第２電極の間隔は前記左右両眼の中心間隔よりも所定値以上広くなるように配置され、前記左眼側第２電極と前記右眼側第２電極から左右方向の眼動に対応した第１チャネル信号を検出し、前記右眼側第１電極と前記右眼側第２電極から第２チャネル信号を検出し、前記左眼側第１電極と前記左眼側第２電極から第３チャネル信号を検出し、左右方向の眼動に対して前記第２チャネル信号と前記第３チャネル信号が逆相となる期間において、前記第１チャネル信号により前記左右方向の眼動を検出する。
【図面の簡単な説明】
【０００９】
【図１】第１の実施の形態に係る眼電位検出装置の電極配置例を説明する図。
【図２】第１の実施の形態（ゴーグル型）に係る眼電位検出装置の電極実装例を説明する図。
【図３】第２の実施の形態（粘着パッド型）に係る眼電位検出装置の電極配置例を説明する図。
【図４】第３の実施の形態（ゴーグル型）に係る眼電位検出装置の電極実装例（その１）を説明する図。
【図５】第３の実施の形態（ゴーグル型）に係る眼電位検出装置の電極実装例（その２）を説明する図。
【図６】第４の実施の形態（ゴーグル型）に係る眼電位検出装置の電極実装例を説明する図。
【図７】第５の実施の形態（メガネ型）に係る眼電位検出装置の電極配置例を説明する図。
【図８】ゴーグル型のアイウエアにおいて、適切な位置に眼電位検出電極が配置された場合の寸法例を示す図（ユーザの顔面に接する側からみた図）。
【図９】ゴーグル型のアイウエアにおいて、Ｃｈ０の信号検出に関して不適切な位置に眼電位検出電極が配置された場合の寸法例を示す図（ユーザの顔面に接する側からみた図）。
【図１０】ゴーグル型のアイウエアにおいて、最適ではないが使用可能な位置に眼電位検出電極が配置された場合の寸法例を示す図（ユーザの顔面に接する側からみた図）。
【図１１】種々な眼動（瞬目（瞬き）、目瞑り、左右上下の視線移動）に対応して得られる眼電図（ＥＯＧ）の波形例を示す図。
【図１２】適切な位置に眼電位検出電極が配置されたゴーグル型アイウエアにおいて、種々な眼動（瞬目（瞬き）、目瞑り、左右上下の視線移動）に対応して得られる眼電図の波形例を説明する図。
【図１３】Ｃｈ０の信号検出に関して不適切な位置に眼電位検出電極が配置されたゴーグル型アイウエアにおいて、種々な眼動（瞬目（瞬き）、目瞑り、左右上下の視線移動）に対応して得られる眼電図の波形例を説明する図。
【図１４】最適ではないが使用可能な位置に眼電位検出電極が配置されたゴーグル型アイウエアにおいて、種々な眼動（瞬目（瞬き）、目瞑り、左右上下の視線移動）に対応して得られる眼電図の波形例を説明する図。
【図１５】視線が正面を向いているときに、両目の瞬目（瞬き）を５回反復した直後に左目のウインク（左側片目の瞬目（瞬き））を５回反復した眼動に対応して得られる眼電図の波形例を説明する図。
【図１６】視線が正面を向いているときに、両目の瞬目（瞬き）を５回反復した直後に右目のウインク（右側片目の瞬目（瞬き））を５回反復した眼動に対応して得られる眼電図の波形例を説明する図。
【図１７】開示された各実施の形態において、ユーザ毎に行えるキャリブレーションの例を説明するフローチャート。
【図１８】適切な位置（図１等）に眼電位検出電極が配置されたメガネ型アイウエアを例示する図。
【図１９】種々な実施の形態に取り付け可能な情報処理部１１と、その周辺デバイスとの関係を説明する図。
【図２０】ユーザの顔面と接触する面にクッションを備え、このクッション上の適切な位置（図１等）に眼電位検出電極が配置された場合のゴーグル型アイウエア（左右両眼のアイフレームが連続したタイプ）の一例を裏面側から見た図。
【図２１】ユーザの顔面と接触する面上の適切な位置（図１等）に眼電位検出電極が配置された場合のゴーグル型アイウエア（左右両眼のアイカップが分離したタイプ）の一例を正面側から見た図。
【発明を実施するための形態】
【００１０】
以下、図面を参照しながら種々な実施形態を説明する。  
＜基礎情報＞
成人の眼球の直径は約２５ｍｍ。生後は１７ｍｍ程度で、成長に伴い大きくなる。  
成人男性の瞳孔間距離は約６５ｍｍ。（一般市販のステレオカメラは６５ｍｍの間隔で作られている物が多い。）  
成人女性の瞳孔間距離は男性に比べて数ｍｍ短い。  
眼電位は数十ｍＶ。  
眼球は角膜側にプラス、網膜側にマイナスの電位を持つ。これを皮膚の表面で測定すると数百μＶの電位差として現れる。
【００１１】
図１は、第１の実施の形態に係る眼電位検出装置の電極配置例（理想的な例）を説明する図である。この図は人の顔を正面から見ている図なので、右側に図示された目が左眼を示し、左側に図示された目が右目を示している。
【００１２】
ここでは、大人の眼球の平均的なサイズを、左眼右眼とも、直径約２５ｍｍとしている。また、大人の左右両眼間の平均的な中心間隔を、約６５ｍｍとしている。人の眼球は、左右両眼とも、角膜側が「＋」に帯電し、網膜側が「−」に帯電している。これらの帯電により生じている眼球周りの電場（あるいは電気力線の状態）が、種々な眼動（上下左右方向の視線移動、左右両目の瞬目（瞬き）や目瞑り、左目または右目のウインクなど）に対応して変化する。この種々な眼動に対応した電場変化は、眼球周囲に配置した複数のＥＯＧ電極（１５１ａ、１５１ｂ、１５２ａ、１５２ｂ）から取り出される１以上のチャネル信号から、区別して検出できる。
【００１３】
具体的には、左右両眼の中心を結ぶ水平線よりも下側の左右電極（１５２ｂ、１５１ｂ）の電位差を第１チャネル（Ｃｈ０）の信号として検出し、鼻筋よりも右眼側（図示では左側）の上下電極（１５１ａ、１５１ｂ）の電位差を第２チャネル（Ｃｈ１）の信号として検出し、鼻筋よりも左眼側（図示では右側）の上下電極（１５２ａ、１５２ｂ）の電位差を第３チャネル（Ｃｈ２）の信号として検出する。第１〜第３チャネル信号はアナログ信号として検出されるが、これらのアナログ信号は３つのＡ／Ｄコンバータ（ＡＤＣ  Ｃｈ０〜Ｃｈ２）１５１２、１５１０、１５２０により、個別にデジタルデータ化される。
【００１４】
瞬目（瞬き）や目瞑りといった眼動は、第２チャネルおよび／または第３チャネル（Ｃｈ１／Ｃｈ２）の信号波形から区別して検出できる（図１１の期間ＴＸ１０またはＴＸ４０参照）。
【００１５】
上下の眼動（上方または下方への視線移動）は、第２チャネルおよび／または第３チャネル（Ｃｈ１／Ｃｈ２）の信号波形から区別して検出できる（図１１の期間ＴＸ３０参照）。
【００１６】
左右の眼動（左方または右方への視線移動）は、第１チャネル（Ｃｈ０）の信号波形、または第２チャネル（Ｃｈ１）もしくは第３チャネル（Ｃｈ２）の信号波形から区別して検出できる（図１１の期間ＴＸ２０参照）。
【００１７】
図１の電極配置およびＡＤＣの接続極性では、水平方向（左右方向の眼動）に関しては、Ｃｈ１の信号変化分（水平ＡＣ成分）とＣｈ２の信号変化分（水平ＡＣ成分）が逆相となる。そのため、Ｃｈ１とＣｈ２の水平ＡＣ成分を加算（同一の水平方向成分の減算に相当）すれば、Ｃｈ１およびＣｈ２の水平ＡＣ成分がキャンセルされる。一方、垂直方向（上下方向の眼動）に関しては、Ｃｈ１の信号変化分（垂直ＡＣ成分）とＣｈ２の信号変化分（垂直ＡＣ成分）は同相となる。そのため、Ｃｈ１とＣｈ２の垂直ＡＣ成分を加算すれば、Ｃｈ１およびＣｈ２の垂直ＡＣ成分は増強される。これにより、Ｃｈ１およびＣｈ２において、水平方向の信号変化と垂直方向の信号変化の相互干渉を排除した検出が可能となる（つまり、Ｃｈ１およびＣｈ２において、高精度な上下眼動の検出が可能となる）。
【００１８】
また、図１の電極配置およびＡＤＣの接続極性では、水平方向（左右方向の眼動）に関しては、左右両眼の電位変化が直列加算された形でＣｈ０のＡＤＣ１５１２に入力される。このことから、左右の眼動検出に関しては、第１チャネル（Ｃｈ０）の信号振幅が特に大きい（図１２の期間ＴＸ２０−１参照）。また、第１チャネル（Ｃｈ０）の信号波形には左右方向の眼動以外の信号成分が殆ど出ない。そのため、第１チャネル（Ｃｈ０）の信号は、左右眼動の検出に適している。
【００１９】
第１チャネル（Ｃｈ０）の信号は、ノイズフロアから検出信号のピークレベルまでの振幅が大きいことから、その大きな振幅の中に複数の閾値を設定することもできる。そうすると、その閾値数分、検出情報量を増やすことができる。換言すると、ノイズに影響され難くなる分、眼動の高精度検出に対応し易くなる。
【００２０】
なお、図１の実施形態では、眼球周囲のＥＯＧ電極（１５１ａ、１５１ｂ、１５２ａ、１５２ｂ）を、左所定範囲（ＡＸＬ）と右所定範囲（ＡＸＬ）を避けて配置している。左所定範囲（ＡＸＬ）は、左眼中心位置を通る垂線を左右に跨ぐと眼電位の極性が変る（結果的にＣｈ１〜Ｃｈ２夫々の信号位相が反転する）変曲域を含む。また、右所定範囲（ＡＸＲ）は、右眼中心位置を通る垂線を左右に跨ぐと眼電位の極性が変る（結果的にＣｈ１〜Ｃｈ２夫々の信号位相が反転する）変曲域を含む。
【００２１】
上記変曲域の存在により、左所定範囲（ＡＸＬ）と右所定範囲（ＡＸＬ）の外側に左右電極（１５２ｂ、１５１ｂ）がある実施形態（図１〜図６など）の検出信号成分（水平成分）の位相は、左所定範囲（ＡＸＬ）と右所定範囲（ＡＸＬ）の内側に左右電極（１５２ｂ、１５１ｂ）がある実施形態（図７など）の検出信号成分（水平成分）と、逆相になる。
【００２２】
図２は、第１の実施の形態（ゴーグル型）に係る眼電位検出装置の電極実装例を説明する図である。この電極実装例では、ゴーグル型アイウエアのクッション面（ユーザの顔面皮膚に接触する面）において、図１と同様な電極配置を行っている。
【００２３】
すなわち、例えばシリコーン製のクッションがゴーグルのフレーム１１０上に設けられ、このクッションの図示位置に所要の眼電位検出電極（ＥＯＧ電極１５１ａ、１５１ｂ、１５２ａ、１５２ｂ）が取り付けられる。シリコーン製のクッションは、ユーザの顔面の凹凸に合うように柔らかく変形して、全てのＥＯＧ電極をユーザの皮膚面に安定接触させる。
【００２４】
また、ゴーグルのフレーム１１０上には、キャリブレーションマーカーとなる４つのＬＥＤ（Ｍ０１、Ｍ０２、Ｍ１１、Ｍ１２）が取り付けられている。さらに、ユーザが正視する際のガイドとして、左右両眼の真正面（Ｐ１とＰ２の位置）にセンターマーカーが形成されている。センターマーカーは、例えば、フレーム１１０内に嵌め込まれる透明プラスチック板の所定箇所（Ｐ１とＰ２の位置）に罫書き加工することで、形成できる。このセンターマーカーに周辺のフレーム１１０に取り付けられたＬＥＤからのサイド光が当ると、その光の一部がセンターマーカー部分で乱反射して、ユーザが視認できるような輝点となる。
【００２５】
なお、フレーム１１０内の透明板上にフィルム液晶などを用いたディスプレイが設けられているときは、そのディスプレイによりＡＲ表示が可能となる。（ＡＲは拡張現実：Augmented Realityの略で、ゴーグル越しに見える現実の世界に種々な情報を付加させるテクノロジーを指す。）このＡＲ表示を用いてマーカー（Ｍ０１、Ｍ０２、Ｍ１１、Ｍ１２、Ｐ１、Ｐ２）をユーザに提示することもできる。
【００２６】
図１あるいは図２の電極配置例はゴーグル型アイウエア（図２０、図２１等）に適しているが、メガネ型アイウエア（図１８等）に適用することも可能である。さらには、図１の電極配置例はアイウエア以外にも応用可能である。例えば、図示しないが、双眼鏡や双眼顕微鏡の接眼部、あるいは産業用ペリスコープ（Periscope）の接眼部に、図２に示すような構成のフレーム１１０を適用することも可能である。
【００２７】
図３は、第２の実施の形態（粘着パッド型）に係る眼電位検出装置の電極配置例を説明する図である。眼電位（ＥＯＧ）は、筋萎縮性側索硬化症（ＡＬＳ：Amyotrophic Lateral Sclerosis）患者、あるいは半身不随などの重度肢体不自由者において、残存機能（眼球運動や瞬目など）による意思伝達手段として利用が検討されている。このようなシーンでは、心電図、筋電図、脳波の測定と同様に、粘着パッドがＥＯＧ電極に使用される。図３は、粘着パッドを用いて眼電位を測定する際の理想的な電極配置を例示している。
【００２８】
図３の例では、右眼側だけにＣｈ１検出用電極（１５１ａ、１５１ｃ）を設け、左眼側にＣｈ２検出用電極を設けていない。通常、意思伝達のための眼動では、左右両目は同方向に動かす。そのため、上下眼動の検出はＣｈ１だけても可能となる。図３の実施形態では、左右方向の眼動を検出する電極（１５１ｂ、１５２ｂ）を、前述した左所定範囲（ＡＸＬ）と右所定範囲（ＡＸＬ）を避けた場所に配置している。
【００２９】
図４は、第３の実施の形態（ゴーグル型）に係る眼電位検出装置の電極実装例（その１）を説明する図である。粘着パッド型を採用しない場合は、図４に示すように、図３のような電極配置を、ゴーグルフレーム１１０上のクッションに設けることができる。この例では、Ｃｈ０用電極（１５１ｂ、１５２ｂ）は、左右両眼の中心を結ぶ水平線上に設けられている。
【００３０】
図５は、第３の実施の形態（ゴーグル型）に係る眼電位検出装置の電極実装例（その２）を説明する図である。Ｃｈ０用電極（１５１ｂ、１５２ｂ）が左右両眼の中心を結ぶ水平線より下側に設けられている点で、図５の例は図４の例と異なっている。
【００３１】
視力矯正用眼鏡を使用した上からゴーグルを装着すると、図４の電極実装例（その１）では眼鏡のツル（左右のヒンジ部分付近）がＣｈ０用電極（１５１ｂ、１５２ｂ）と干渉してしまう恐れがある。この干渉を避けるため、図５の電極実装例（その２）では、Ｃｈ０用電極（１５１ｂ、１５２ｂ）を垂直方向にオフセットさせている。
【００３２】
図６は、第４の実施の形態（ゴーグル型）に係る眼電位検出装置の電極配置例とその電極実装例を説明する図である。この例では、図５のＣｈ０用電極（１５１ｂ、１５２ｂ）と同様なＣｈ３用電極（１５１ｄ、１５２ｄ）を、左右両眼の中心を結ぶ水平線より上側にも設けている（水平検出用電極ペアのダブル配置）。さらに、図５のＣｈ１用電極（１５１ａ、１５１ｃ）と同様なＣｈ２用電極（１５２ａ、１５２ｃ）を、左眼側にも設けている（垂直検出用電極ペアのダブル配置）。つまり、図４または図５の電極構造を、水平方向と垂直方向でダブルに設けて、検出の信頼性を高めたものが、図６の例である。
【００３３】
図６の例では、体動や表情の変化等でいずれかのＥＯＧ電極と皮膚との接触が一時的に乱れた場合にも、水平垂直信号を各々冗長化して取得できる。すなわち、ダブル配置された電極ペアのうちどちらか片方のペアにおいて電極と皮膚との接触が一時的に取れなくなった場合でも、問題が発生している側のペアを検出し、他方の正常ペアから得られる検出信号を使って処理を継続する事ができる。
【００３４】
問題が発生しているか否かは、例えば、検出信号の変化が通常検出され得る生体信号の範疇か否かで、判定できる。検出信号の変化が通常検出され得る生体信号の範疇か否かは、例えば検出信号の微分量が所定値を超えるかどうかで、判定できる。ここで、検出信号の「微分量」の大小には、２種類考えられる。第１の微分量が大きい場合は「一定時間当たりの振幅値が大きい（眼球移動よりも信号変化が大きい）場合」に対応し、第２の微分量が大きい場合は「振幅の大小を問わず、信号レベルの傾斜が大きい（眼球移動よりも信号変化が早い）場合」に対応する。第１の微分量の検出では、第２の微分量検出の場合と比べて、ＡＤＣのサンプルレートを抑えることができる。そのため、実装面からは、第１の微分量を検出する方が簡単となる。
【００３５】
なお、図２、図４〜図６に例示されるような眼電位検出電極付きのフレーム１１０は、アイウエア以外にも設けることができる。例えば、図示しないが、展望台の望遠鏡の接眼部に、眼電位検出電極付フレーム１１０を設けることができる。そうすると、望遠鏡を見ているユーザの眼動（例えば左右のウインク）により、望遠鏡の動作を制御しているコンピュータに対して、ズームイン／ズームアウト等を指示することができる。
【００３６】
あるいは、図示しないが、顕微鏡の接眼部に、眼電位検出電極付フレーム１１０（ＡＲ表示タイプ）を設けることができる。そうすると、眼動（例えば数回の連続瞬目（瞬き））を利用した操作指令により、視線を向けた顕微鏡の観測対象にデジタル情報でマーキングしたり、別の眼動（例えば視線の上下左右動）を利用した操作指令によりマーキングしたい位置を移動させたり、別の眼動（例えば短時間の目瞑り）を利用した操作指令によりその観測対象部分の画像データを切り出したりすることができる。
【００３７】
あるいは、図示しないが、産業用のペリスコープ（Periscope）の下端側接眼部に、眼電位検出電極付フレーム１１０を設けることができる。（産業用ペリスコープの一例として、高速鉄道の車両点検用ペリスコープがある。）例えば、低い位置から高い位置にある車両の屋根をペリスコープで点検する際に、ペリスコープ上端側の対物レンズの向きやズーミング等を、その下端側接眼部に顔を付けた点検作業員の眼動により、コントロールできる。
【００３８】
図７は、第５の実施の形態（メガネ型）に係る眼電位検出装置の電極配置例（図１〜図６とは異なる電極配置例）を説明する図である。
【００３９】
ユーザの顔や鼻の形状を無視した場合、眼電位測定時の信号振幅および水平垂直信号の混入防止の観点から、４つのＥＯＧ電極は、なるべく以下のように配置する：
上下に配置される電極（１５１ａ、１５２ａ；１５１ｂ、１５２ｂ）は、左右両眼の中心を結ぶ水平線を跨ぐ；
左右の電極ペア（Ｃｈ１用の１５１ａと１５１ｂのペア；Ｃｈ２用の１５２ａと１５２ｂのペア）は、それぞれ垂直に配置される；
左右の所定領域（図１で説明したＡＸＬとＡＸＲ）を避けつつ、水平方向用のＣｈ０電極（１５１ｂ、１５２ｂ）はその間隔が最大となる位置に配置。
【００４０】
図８は、ゴーグル型のアイウエアにおいて、適切な位置に眼電位検出電極が配置された場合（評価１とする）の寸法例を示す図（ユーザの顔面に接する側からみた図）である。この寸法例では、左眼側の２個のＥＯＧ電極（１５２ａ、１５２ｂ）と右眼側の２個のＥＯＧ電極（１５１ａ、１５１ｂ）は、左右両眼の中心を結ぶ線の中点から垂直方向に引いた垂線に対して線対称に配置されている。この垂線は、フレーム１１０の左右中心に引かれた垂線で示されており、例えばユーザの鼻筋に対応する。
【００４１】
また、上側の２個のＥＯＧ電極（１５２ａ、１５１ａ）は左右両眼の中心を結ぶ線よりも３５ｍｍ上側に配置され、下側の２個のＥＯＧ電極（１５２ｂ、１５１ｂ）は左右両眼の中心を結ぶ線よりも３５ｍｍ下側に配置されている。上側の２個のＥＯＧ電極（１５２ａ、１５１ａ）は、フレーム１１０の左右中心に引かれた垂線の左右方向±１３ｍｍの位置に配置される。下側の２個のＥＯＧ電極（１５２ｂ、１５１ｂ）は、フレーム１１０の左右中心に引かれた垂線の左右方向±６２ｍｍの位置に配置される。
【００４２】
図８の例では、左右両眼の中心を結ぶ線よりも上側の電極２個（１５２ａ、１５１ａ）および下側の電極２個（１５２ｂ、１５１ｂ）は、左所定範囲（ＡＸＬ）と右所定範囲（ＡＸＬ）を避けて、配置されている。ここで、左所定範囲（ＡＸＬ）は、左眼中心位置（図２のＰ１）を通る垂線を左右に跨ぐと眼電位の極性が変る（結果的にＣｈ２の信号位相が反転する）変曲域を含む。図８の例では、左眼球の直径を２５ｍｍとしたときに、左眼中心を通る垂線の左右方向に±１２．５ｍｍを、左所定範囲（ＡＸＬ）としている。また、右所定範囲（ＡＸＲ）は、右眼中心位置（図２のＰ２）を通る垂線を左右に跨ぐと眼電位の極性が変る（結果的にＣｈ１の信号位相が反転する）変曲域を含む。図８の例では、右眼球の直径を２５ｍｍとしたときに、右眼中心を通る垂線の左右方向に±１２．５ｍｍを、右所定範囲（ＡＸＲ）としている。左所定範囲（ＡＸＬ）および右所定範囲（ＡＸＲ）の上下方向のサイズは任意であるが、ＥＯＧ電極が実装されるフレーム１１０のサイズに応じて適宜定めればよい。
【００４３】
図９は、ゴーグル型のアイウエアにおいて、Ｃｈ０の信号検出に関して不適切な位置に眼電位検出電極が配置された場合（評価２とする）の寸法例を示す図（ユーザの顔面に接する側からみた図）である。この寸法例では、左眼側の２個のＥＯＧ電極（１５２ａ、１５２ｂ）と右眼側の２個のＥＯＧ電極（１５１ａ、１５１ｂ）は、左右両眼の中心を結ぶ線の中点から垂直方向に引いた垂線に対して線対称に配置されている（図８の例と同様）。
【００４４】
また、上側の２個のＥＯＧ電極（１５２ａ、１５１ａ）は左右両眼の中心を結ぶ線よりも３５ｍｍ上側に配置され、下側の２個のＥＯＧ電極（１５２ｂ、１５１ｂ）は左右両眼の中心を結ぶ線よりも３５ｍｍ下側に配置されている（図８の例と同様）。上側の２個のＥＯＧ電極（１５２ａ、１５１ａ）は、フレーム１１０の左右中心に引かれた垂線の左右方向±１３ｍｍの位置に配置される（図８の例と同様）。
【００４５】
しかし、下側の２個のＥＯＧ電極（１５２ｂ、１５１ｂ）は、フレーム１１０の左右中心に引かれた垂線の左右方向±２０ｍｍの位置に配置されている（図８の例と異なる）。すなわち、図９の例では、下側の電極２個（１５２ｂ、１５１ｂ）が、左所定範囲（ＡＸＬ）と右所定範囲（ＡＸＬ）を避けずに配置されている（図８の例と異なる）。
【００４６】
図１０は、ゴーグル型のアイウエアにおいて、最適ではないが使用可能な位置に眼電位検出電極が配置された場合（評価３とする）の寸法例を示す図（ユーザの顔面に接する側からみた図）である。この寸法例では、左眼側の２個のＥＯＧ電極（１５２ａ、１５２ｂ）と右眼側の２個のＥＯＧ電極（１５１ａ、１５１ｂ）は、左右両眼の中心を結ぶ線の中点から垂直方向に引いた垂線に対して線対称に配置されている（図８の例と同様）。
【００４７】
また、上側の２個のＥＯＧ電極（１５２ａ、１５１ａ）は左右両眼の中心を結ぶ線よりも３５ｍｍ上側に配置され、下側の２個のＥＯＧ電極（１５２ｂ、１５１ｂ）は左右両眼の中心を結ぶ線よりも３５ｍｍ下側に配置されている（図８の例と同様）。上側の２個のＥＯＧ電極（１５２ａ、１５１ａ）は、フレーム１１０の左右中心に引かれた垂線の左右方向±１３ｍｍの位置に配置される（図８の例と同様）。
【００４８】
しかし、下側の２個のＥＯＧ電極（１５２ｂ、１５１ｂ）は、フレーム１１０の左右中心に引かれた垂線の左右方向±１１ｍｍの位置に配置される（図８および図９の例と異なる）。すなわち、図１０の例では、下側の電極２個（１５２ｂ、１５１ｂ）が左所定範囲（ＡＸＬ）と右所定範囲（ＡＸＬ）を避けて配置されているが、避け方が図８の例と異なる。
【００４９】
図１１は、種々な眼動（瞬目（瞬き）、目瞑り、左右上下の視線移動）に対応して得られる眼電図（Electro-oculogram：ＥＯＧ）の波形例を示す図である。これらの眼動の種類は、図８〜図１０の評価１〜評価３で共通としているが、図１１の波形データは図８の場合（評価１）を例示している。図８（または図２）の電極配置では、左右の電極ペアの並び方が「／」と「＼」の形をしており、ユーザの鼻筋を間に挟んで線対称となっている。
【００５０】
図１１の縦軸（Ｙ軸）は信号レベル（振幅値）を示し、その横軸（Ｘ軸）は時間経過を示す。Ｙ軸は動作電圧が３．３Ｖで分解能が２４ビットのＡＤＣを用いた場合のサンプル値を示す。その場合、検出信号レベルの重みは３．３Ｖ÷（２の２４乗）＝１９６．６９５ｎV≒２００ｎＶとなる。すると、図１１の縦軸間隔（20000）は「20000＊196.695ｎＶ≒４ｍＶ」を示すことになる。また、Ｘ軸は２５６ｆｓのサンプル数を示し、Ｘ軸の隣接数値の差分を２５６で割ると「秒」になる。
【００５１】
図１１の期間ＴＸ１０は、瞬目（瞬き）が１〜３回行われた場合および、１秒程の眼瞑りが１回行われた場合の、Ｃｈ０〜Ｃｈ２の検出信号波形例（電極配置が図８の評価１）を示す。期間ＴＸ４０も、同様な眼動が行われた場合のＣｈ０〜Ｃｈ２の検出信号波形例（電極配置は図８の評価１）を示す。図１１のＴＸ１０とＴＸ４０の波形例は、計測した時間が異なっても、同種の眼動に対しては、同様な検出信号波形が得られることを示している。
【００５２】
期間ＴＸ１０またはＴＸ４０において、コンマ数秒程度の素早い瞬目（瞬き）に対しては、Ｃｈ０の検出信号波形に殆ど変化が無い。しかし、Ｃｈ１とＣｈ２の検出信号波形は瞬目（瞬き）回数に明確に反応して変化している。瞬目（瞬き）よりも時間の長い眼瞑りでは、Ｃｈ０の検出信号波形に僅かな変化が見られるが、Ｃｈ１とＣｈ２の検出信号波形にはＣｈ０よりもずっと大きな変化が生じている。
【００５３】
図１１の期間ＴＸ２０は、視線が正面から左方向へ移動して１秒程静止した後に正面へ戻ったときと、視線が正面から右方向へ移動して１秒程静止した後に正面へ戻ったときの、Ｃｈ０〜Ｃｈ２の検出信号波形例（電極配置は図８の評価１）を示す。ここで特徴的なのは、評価１の電極配置（図８）では、左右方向の眼動に対してＣｈ１とＣｈ２で検出信号の位相が逆になることと、Ｃｈ０で振幅の大きな検出信号が得られることである。
【００５４】
図１１の期間ＴＸ３０は、視線が正面から上方向へ移動して１秒程静止した後に正面へ戻ったときと、視線が正面から下方向へ移動して１秒程静止した後に正面へ戻ったときの、Ｃｈ０〜Ｃｈ２の検出信号波形例（電極配置は図８の評価１）を示す。上下方向の眼動では、Ｃｈ０には変化が殆ど見られず、Ｃｈ１とＣｈ２に同様な波形変化が生じている。
【００５５】
図１１の波形例から明らかなように、瞬目（瞬き）の回数、瞬目（瞬き）と眼瞑りの区別、左右方向の眼動の区別、上下方向の眼動の区別が、Ｃｈ０〜Ｃｈ２の検出信号波形から、可能である。
【００５６】
なお、眼動検出に関係する眼球運動の種類および眼球の移動範囲としては、例えば以下のものがある：
＜眼球運動（眼動）の種類＞
（01）補償性眼球運動
頭や身体の動きにかかわらず、外界の像を網膜上で安定させるために発達した、非随意的な眼球運動。
【００５７】
（02）随意性眼球運動
視対像を網膜上の中心にくるようにするために発達した眼球運動であり、随意的なコントロールが可能な運動。
【００５８】
（03）衝撃性眼球運動（サッケード）
物を見ようとして注視点を変えるときに発生する眼球運動（検出し易い）。
【００５９】
（04）滑動性眼球運動
ゆっくりと移動する物体を追尾するときに発生する滑らかな眼球運動（検出し難い）。
【００６０】
＜眼球の移動範囲（一般的な成人の場合）＞
（11）水平方向
左方向: 50°以下
右方向: 50°以下
（12）垂直方向
下方向: 50°以下
上方向: 30°以下
（自分の意思で動かせる垂直方向の角度範囲は、上方向だけ狭い。（閉眼すると眼球が上転する「ベル現象」があるため、閉眼すると垂直方向の眼球移動範囲は上方向にシフトする。）
（13）その他（評価１〜３では用いていない眼動）
輻輳角: 20°以下
図１２は、適切な位置に眼電位検出電極が配置されたゴーグル型アイウエアにおいて、種々な眼動（瞬目（瞬き）、目瞑り、左右上下の視線移動）に対応して得られる眼電図の波形例（評価１におけるＥＯＧ波形）を説明する図である。図１２の例はＸ軸の数値が図１１と異なるが、波形の傾向は同様である。評価１（図８）の例では、左右方向の眼動に対して、およそ１．７７ｍＶのＣｈ０信号が検出されている（図１２の期間ＴＸ２０−１参照）。
【００６１】
図１３は、Ｃｈ０の信号検出に関して不適切な位置に眼電位検出電極が配置されたゴーグル型アイウエアにおいて、種々な眼動（瞬目（瞬き）、目瞑り、左右上下の視線移動）に対応して得られる眼電図の波形例（評価２におけるＥＯＧ波形）を説明する図である。評価２（図９）の例の例では、左右方向の眼動に対して、Ｃｈ０〜Ｃｈ２のいずれからも信号検出ができていない（図１３の期間ＴＸ２０−２参照）。
【００６２】
図１４は、最適ではないが使用可能な位置に眼電位検出電極が配置されたゴーグル型アイウエアにおいて、種々な眼動（瞬目（瞬き）、目瞑り、左右上下の視線移動）に対応して得られる眼電図の波形例（評価３におけるＥＯＧ波形）を説明する図である。評価３（図１０）の例では、左右方向の眼動に対して、およそ０．５９ｍＶのＣｈ０信号が検出されている（図１４の期間ＴＸ２０−３参照）。これは評価１（図８）の場合の１／３であり、評価１の場合よりもノイズの影響を受けやすい状態である。眼動が左方向か右方向か程度の荒い検出なら評価３（図１０）でもよいが、例えば左方向（または右方向）にどれくらい視線が移動したかを高精度に検出するのには、評価１（図８）の方が適している。
【００６３】
＜ウインクの検出について＞
人の眼球は、瞼と筋肉が連動しており、瞼を閉じると眼球が上方を向く。そのため、ウインク時には瞼を閉じた側の眼球だけが上方を向く。
【００６４】
Ｃｈ１／Ｃｈ２は、ウインクが行われる眼に近い側の検出信号振幅が相対的に大きくなるが、Ｃｈ１／Ｃｈ２でのウインク検出は比較的難しい（瞬目における左右の検出信号振幅が同一とはならず、例えば振幅の変化率の差分を見る必要がある）。
【００６５】
対して、Ｃｈ０では、その＋端子／−端子に近い側にウインクによる信号変化が現れ、左右で信号変化が逆相となるため、左右個別のウインクの検出が容易となる。
【００６６】
図１５は、視線が正面を向いているときに、両目の瞬目（瞬き）を５回反復した直後に左目のウインク（左側片目の瞬目（瞬き））を５回反復した眼動に対応して得られる眼電図の波形例を説明する図である。（この図の例示は、図１、図７のようにＣｈ０検出電極が左右両眼の中心を結ぶ水平線より下にオフセットしている場合に対応。）
図１、図７等に例示されるように、Ｃｈ０のＡＤＣ１５１２の電極位置が左右両目の眼球中心線より下方にオフセットしていると、両目同時の瞬目（瞬き）では、ＡＤＣ１５１２の＋入力と−入力の双方に負方向の電位変化が現れる。その際、＋入力と−入力の双方の電位変化（量と方向）が略同じとすれば、その変化は殆どキャンセルされ、Ｃｈ０のＡＤＣ１５１２から出力される信号レベルの値は、略一定となる（図１５の左側破線内のＣｈ０レベル参照）。一方、片目（左目）の瞬目（瞬き）では、ＡＤＣ１５１２の−入力側は電位変化が殆どなく、ＡＤＣ１５１２の＋入力側に比較的大きめの負方向電位変化が現れる。そうすると、ＡＤＣ１５１２の＋入力と−入力の間における電位変化のキャンセル量は小さくなり、Ｃｈ０のＡＤＣ１５１２から出力される信号レベルには、負方向に小さなパルス（信号レベルの小波）が表れる（図１５の右側破線内のＣｈ０レベル参照）。この信号レベルの小波（負方向のパルス）の極性から、左目のウインクがなされたことを検出できる（Ｃｈ０を利用した、左ウインク検出の一例）。
【００６７】
また、図６の例では、Ｃｈ３のＡＤＣ１５１４の位置は、左右両目の眼球中心線より上方にオフセットしている。このオフセットのため、両目同時の瞬目（瞬き）では、ＡＤＣ１５１４の＋入力と−入力の双方に正方向の電位変化が現れる。その際、＋入力と−入力の双方の電位変化（量と方向）が略同じとすれば、その変化は殆どキャンセルされ、Ｃｈ３のＡＤＣ１５１４から出力される信号レベルの値は、略一定となる。一方、片目（左目）の瞬目（瞬き）では、ＡＤＣ１５１４の−入力側は電位変化が殆どなく、ＡＤＣ１５１４の＋入力側に比較的大きめの正方向電位変化が現れる。そうすると、ＡＤＣ１５１４の＋入力と−入力の間における電位変化のキャンセル量は小さくなり、Ｃｈ３のＡＤＣ１５１４から出力される信号レベルには、正方向に小さなパルス（信号レベルの小波：図示せず）が表れる。この信号レベルの小波（正方向のパルス）の極性から、左目のウインクがなされたことを検出できる（Ｃｈ３を利用した、左ウインク検出の他例）。
【００６８】
なお、ユーザの顔の歪みや皮膚の状態等でＡＤＣ１５１２の＋入力と−入力の電位変化が均等にならない場合は、アイウエア１００をユーザが装着し両目同時に瞬目（瞬き）したときのＣｈ０ＡＤＣの出力が最小（＋入力成分と−入力成分との間のキャンセル量が最大）となるようなキャリブレーションを、事前に行っておけばよい。
【００６９】
また、両目瞬目（瞬き）が行われた時の検出信号Ｃｈ１／Ｃｈ２のピーク比SL1a/SL2aを基準とすると、左眼ウインクが行われたときのピーク比SL1b/SL2bは変化する（SL1b/SL2bはSL1a/SL2aとイコールでない）。このことからも、左ウインクを検出できる。
【００７０】
図１６は、視線が正面を向いているときに、両目の瞬目（瞬き）を５回反復した直後に右目のウインク（右側片目の瞬目（瞬き））を５回反復した眼動に対応して得られる眼電図の波形例を説明する図である。（この図の例示は、図１、図７のようにＣｈ０検出電極が左右両眼の中心を結ぶ水平線より下にオフセットしている場合に対応。）
前述したように、図１、図７等に例示されるようにＡＤＣ１５１２の電極位置が左右両目の眼球中心線より下方にオフセットしていると、両目同時の瞬目（瞬き）ではＡＤＣ１５１２の＋入力と−入力の双方に負方向の電位変化が現れる。しかし、＋入力と−入力における同様な電位変化は殆どキャンセルされ、Ｃｈ０のＡＤＣ１５１２から出力される信号レベルの値は、略一定となる（図１６の左側破線内のＣｈ０レベル参照）。一方、片目（右目）の瞬目（瞬き）では、ＡＤＣ１５１２の＋入力側は電位変化が殆どなく、ＡＤＣ１５１２の−入力側に比較的大きめの負方向電位変化が現れる。そうすると、ＡＤＣ１５１２の−入力と＋入力の間における電位変化のキャンセル量は小さくなり、Ｃｈ０のＡＤＣ１５１２から出力される信号レベルには、正方向に小さなパルス（信号レベルの小波）が表れる（図１６の右側破線内のＣｈ０レベル参照）。この信号レベルの小波（正方向のパルス）の極性から、右目のウインクがなされたことを検出できる（Ｃｈ０を利用した右ウインク検出の一例）。
【００７１】
また、両目瞬目（瞬き）が行われた時の検出信号Ｃｈ１／Ｃｈ２のピーク比SR1a/SR2aを基準とすると、右眼ウインクが行われたときのピーク比SR1b/SR2bは変化する（SR1b/SR2bはSR1a/SR2aとイコールでない）。また、左ウインク時のピーク比SL1b/SL2bは右ウインク時のピーク比SR1b/SR2bと異なった値を持つ（どの程度異なるのかは実験で確認できる）。このことから、右ウインクとは別に、左ウインクを検出できる（Ｃｈ１とＣｈ２を利用した左右ウインク検出の一例）。
【００７２】
なお、図６の例では、Ｃｈ３のＡＤＣ１５１４の位置は、左右両目の眼球中心線より上方にオフセットしている。このオフセットのため、両目同時の瞬目（瞬き）では、図６のＡＤＣ１５１４の＋入力と−入力の双方に正方向の電位変化が現れる。その際、＋入力と−入力の双方の電位変化（量と方向）が略同じとすれば、その変化は殆どキャンセルされ、Ｃｈ３のＡＤＣ１５１４から出力される信号レベルの値は、略一定となる。一方、片目（右目）の瞬目（瞬き）では、ＡＤＣ１５１４の＋入力側は電位変化が殆どなく、ＡＤＣ１５１４の−入力側に比較的大きめの正方向電位変化が現れる。そうすると、ＡＤＣ１５１４の＋入力と−入力の間における電位変化のキャンセル量は小さくなり、Ｃｈ３のＡＤＣ１５１４から出力される信号レベルには、負方向に小さなパルス（信号レベルの小波：図示せず）が表れる。この信号レベルの小波（負方向のパルス）の極性から、右目のウインクがなされたことを検出できる（Ｃｈ３を利用した、右ウインク検出の他例）。
【００７３】
図６の例では、左ウインクの検出に、Ｃｈ０およびＣｈ３の検出結果の論理ＡＮＤを使用でき、あるいはＣｈ０およびＣｈ３の検出結果の論理ＯＲを使用できる。具体的には、論理ＡＮＤを使用するときは、Ｃｈ０で負方向パルスが検出され、かつＣｈ３で正方向パルスが検出されたときにのみ、左ウインクがなされたものと判定する（不規則なノイズによる誤判定の可能性が小さくなる）。論理ＯＲを使用するときは、Ｃｈ０で負方向パルスが検出され、またはＣｈ３で正方向パルスが検出されたときに、左ウインクがなされたものと判定する（不規則なノイズによる誤判定の可能性は相対的に高まるが、ウインク検出の感度は高くなる）。
【００７４】
同様に、図６の例では、右ウインクの検出にも、Ｃｈ０およびＣｈ３の検出結果の論理ＡＮＤあるいは論理ＯＲを使用できる。具体的には、論理ＡＮＤを使用するときは、Ｃｈ０で正方向パルスが検出され、かつＣｈ３で負方向パルスが検出されたときにのみ、右ウインクがなされたものと判定する。論理ＯＲを使用するときは、Ｃｈ０で正方向パルスが検出され、またはＣｈ３で負方向パルスが検出されたときに、右ウインクがなされたものと判定する。
【００７５】
なお、左右のウインク検出に関しては、図６の電極１５１ｃおよび１５２ｃをＣｈ０と同様なＡＤＣの「−」および「＋」入力へ繋ぎ、および／または、図６の電極１５１ａおよび１５２ａをＣｈ３と同様なＡＤＣの「−」および「＋」入力へ繋いで、図１５および図１６のＣｈ０波形の右側に例示されるようなパルスを検出するようにしてもよい。
【００７６】
左右のウインク検出にＣｈ０を利用するのかＣｈ３を利用するのかＣｈ１／Ｃｈ２を利用するのかは、機器設計者が適宜決めればよい。Ｃｈ０〜Ｃｈ３等を利用した左右のウインク検出結果は、操作コマンドとして利用できる。
【００７７】
また、Ｃｈ１／Ｃｈ２における瞬目検出（検出レベルは極大）のタイミングを用いることにより（ノイズによる影響を抑えて）、同一タイミングにおけるＣｈ０上の検出信号の小波の極性を検出することもできる。
【００７８】
図１７は、開示された各実施の形態において、ユーザ毎に行えるキャリブレーションの例を説明するフローチャートである。ここでは、例えば図２に示すような、眼電位検出電極／キャリブレーションマーカー付フレーム１１０を備えたゴーグルにおけるキャリブレーションの一例を説明する。
【００７９】
ユーザの顔面がフレーム１１０上の４つの眼電位検出電極（ＥＯＧ電極１５１ａ、１５１ｂ、１５２ａ、１５２ｂ）にしっかりと接触したら、その接触状態を安定に維持する（ＳＴ１０）。キャリブレーションは、ユーザがゴーグルを装着してＥＯＧ電極の安定接触状態が確保されたら、自動的に開始できる。あるいは、ゴーグル装着後のユーザによる手動操作で、キャリブレーションを開始できる。このキャリブレーションは、例えば図１９の情報処理部１１において実行できる。
【００８０】
この例では、キャリブレーションを、第１のキャリブレーションと第２のキャリブレーションに分けている（第１のキャリブレーションと第２のキャリブレーションを区別せず一括して行うキャリブレーションも可能）。
【００８１】
第１のキャリブレーションは、ユーザが正面を見ているときの状態（ユーザ毎に異なる基準状態）を検出するために行う。第２のキャリブレーションは、ユーザが正面を見ているときの状態（第１のキャリブレーション結果）を基準として行われる。第２のキャリブレーションでは、各Ｃｈ（Ｃｈ０〜Ｃｈ２）からの検出信号の波高、極性、発生タイミングを元にした、種々な眼動（視線移動および、瞬目、眼瞑り、ウインク）に対する特徴量を検出するために行う。
【００８２】
すなわち、キャリブレーションの実行が始まると（ＳＴ１２イエス）、ユーザは、左右両眼正面の基準位置Ｐ１およびＰ２にあるマーカーを正視する（ＳＴ１４）。ユーザが基準位置Ｐ１およびＰ２にあるマーカーを正視している間に、第１のキャリブレーションが実行される（ＳＴ１６）。第１のキャリブレーションでは、Ｃｈ０、Ｃｈ１およびＣｈ２夫々のＡＤＣ出力レベルが、第１のキャリブレーション結果として一時記憶される（ＳＴ１８）。
【００８３】
第１のキャリブレーション結果を一時記憶したら、フレーム１１０の所定位置に設けた４つのマーカーＬＥＤ（Ｍ０１、Ｍ０２、Ｍ１１、Ｍ１２）のうち、１つ以上を点灯する（ＳＴ２０）。一度に点灯するＬＥＤが１つだけならその１つが注目すべきマーカーとなる。一度に点灯するＬＥＤが２つ以上ならそのうちの１つを特定色（例えば赤）として注目すべきマーカーとし、それ以外のＬＥＤは別の色（例えば緑）として非注目マーカー（あるいは準注目マーカー）とする。
【００８４】
注目すべきマーカーＬＥＤが点灯されたら、第２のキャリブレーションが実行される（ＳＴ２２）。第２のキャリブレーションでは、ユーザが注目マーカーのＬＥＤ輝点を見るよう促して、注目マーカー方向への眼動を起こさせる。例えば上側ＬＥＤマーカーのＭ０１が注目マーカーであれば、ユーザの両眼球は上側を向いて一時停止する。そのときのＣｈ１およびＣｈ２夫々のＡＤＣ出力レベルが所定値になるように各ＡＤＣの内部状態（ＡＤ変換前の回路ゲインおよび／またはＡＤ変換後の乗算係数等）を修正する。この修正結果（Ｃｈ０〜Ｃｈ２夫々のＡＤＣ出力レベルとその出力レベルが得られたときの各ＡＤＣの内部状態のデータ）は、暫定キャリブレーション結果（その１）として一時記憶される。
【００８５】
注目マーカーを下側ＬＥＤマーカーＭ０２に切り替えると、ユーザの両眼球は下側を向いて一時停止する。そのときのＣｈ１およびＣｈ２夫々のＡＤＣ出力レベルが所定値になるように各ＡＤＣの内部状態（ＡＤ変換前の回路ゲインおよび／またはＡＤ変換後の乗算係数等）を修正する。この修正結果（Ｃｈ０〜Ｃｈ２夫々のＡＤＣ出力レベルとその出力レベルが得られたときの各ＡＤＣの内部状態のデータ）は、暫定キャリブレーション結果（その２）として一時記憶される。
【００８６】
注目マーカーを左側ＬＥＤマーカーＭ１１に切り替えると、ユーザの両眼球は左側を向いて一時停止する。そのときのＣｈ１およびＣｈ２夫々のＡＤＣ出力レベルが所定値になるように各ＡＤＣの内部状態（ＡＤ変換前の回路ゲインおよび／またはＡＤ変換後の乗算係数等）を修正する。この修正結果（Ｃｈ０〜Ｃｈ２夫々のＡＤＣ出力レベルとその出力レベルが得られたときの各ＡＤＣの内部状態のデータ）は、暫定キャリブレーション結果（その３）として一時記憶される。
【００８７】
注目マーカーを左側ＬＥＤマーカーＭ１２に切り替えると、ユーザの両眼球は右側を向いて一時停止する。そのときのＣｈ１およびＣｈ２夫々のＡＤＣ出力レベルが所定値になるように各ＡＤＣの内部状態（ＡＤ変換前の回路ゲインおよび／またはＡＤ変換後の乗算係数等）を修正する。この修正結果（Ｃｈ０〜Ｃｈ２夫々のＡＤＣ出力レベルとその出力レベルが得られたときの各ＡＤＣの内部状態のデータ）は、暫定キャリブレーション結果（その４）として一時記憶される。
【００８８】
このように、注目マーカーＬＥＤの点灯位置を順次切り替え、その都度一時記憶した暫定キャリブレーション結果（その１〜その４）を纏めて、第２のキャリブレーション結果として一時記憶する（ＳＴ２４）。
【００８９】
一時記憶された第１および第２のキャリブレーション結果は、キャリブレーションを行った該当ユーザのメモリバンク（図１９の例では不揮発性メモリ１１ｂ）に登録される（ＳＴ２６）。（メモリバンクに登録する情報は、第１のキャリブレーション結果を元にした第２のキャリブレーション結果だけでもよい。）
現ユーザのゴーグル使用が継続している間（ＳＴ３０イエス）、キャリブレーションの再実行がないときは（ＳＴ３２ノー）、ＳＴ２８〜ＳＴ３２の処理が反復される。使用中の発汗などでゴーグルのＥＯＧ電極とユーザの顔との接触状態が変るなどで再度キャリブレーションが必要になったら（ＳＴ３２イエス）、ＳＴ１４〜ＳＴ３２の処理が反復される。
【００９０】
現ユーザのゴーグル使用が終了したが（ＳＴ３０ノー）、別のユーザがそのゴーグルを継続使用するときは（ＳＴ３４イエス）、ＳＴ１０〜ＳＴ３４の処理が反復される。別のユーザの第１および第２のキャリブレーション結果は、キャリブレーションを行った別ユーザのメモリバンク（図１９の例では不揮発性メモリ１１ｂ）に登録される（ＳＴ２６）。別ユーザによるゴーグル使用がないときは（ＳＴ３４ノー）、図１７の処理は終了する。
【００９１】
キャリブレーションをしないときは（ＳＴ１２ノー）、メモリバンク（図１９の１１ｂ）に現ユーザのキャリブレーションデータが登録されているかどうかチェックする（ＳＴ４０）。このチェックは、例えば登録済みユーザ名をＡＲ表示することで、行うことができる。（このＡＲ表示は、例えば図１８〜図２１のフィルム液晶ディスプレイ１２Ｌ／１２Ｒで行うことができる。）現ユーザの名前（ニックネームやユーザＩＤコードでもよい）がＡＲ表示中にあれば（ＳＴ４０イエス）、ユーザは、その表示に視線を移し、例えば数秒の眼瞑りでそのユーザ名の項目を選択する。すると、その選択項目のキャリブレーションデータが使用される（ＳＴ４２）。ＡＲ表示中にユーザの名前がないときは（ＳＴ４０ノー）、キャリブレーションは行わず、事前設定されたデフォルト状態で、ゴーグルを使用することができる（ＳＴ４４）。
【００９２】
キャリブレーションを行ったユーザ（またはデフォルト状態で使用することにしたユーザ）は、ゴーグル等の装置を使用して、眼動に応じた指令を図１９の情報処理部１１に与えることができる。例えば、カメラ付きのリモコンロボットやドローンを、ゴーグルを装着したユーザの眼動でコントロールする場合を想定してみる。その場合、
正視方向ら上下左右方向への視線移動に対応して、カメラの撮影方向を動かす。左ウインクに対応してカメラ映像をズームインし、右ウインクに対応してカメラ映像をズームアウトする。両目瞬目（瞬き）連続２回（１秒以内）でカメラ映像を写真撮影する（シャッターを切る）。撮影したカメラ画像は、Wi-Fi（登録商標）などで送信し、および／またはフラッシュメモリなどにＪＰＥＧデータとして記録する。
【００９３】
または、両目瞬目（瞬き）連続３回（１秒以内）で動画撮影を開始する。動画撮影中のズームイン／アウトは左右のウインクで行える。動画撮影中に、両目瞬目（瞬き）を連続２回連続する（１秒以内）と動画撮影は一時停止する。再度、両目瞬目（瞬き）を連続２回連続する（１秒以内）と、一時停止は解除され動画撮影が再開される。動画撮影中に、両目を２〜３秒以上瞑ると動画撮影は終了する。
【００９４】
図１８は、適切な位置（図８に対応）に眼電位検出電極が配置されたメガネ型アイウエアを例示する図である。この例では、右アイフレーム（右リム）１０１と左アイフレーム（左リム）１０２がブリッジ１０３連結されている。左右アイフレーム１０２、１０１およびブリッジ１０３は、導電性を持つ部材、例えば軽量金属（アルミ合金、チタンなど）で構成できる。左アイフレーム１０２の左外側は左ヒンジ１０４を介して左テンプルバー１０６に繋がり、左テンプルバー１０６の先端に左モダン（左イヤーパッド）１０８が設けられている。同様に、右アイフレーム１０１の右外側は右ヒンジ１０５を介して右テンプルバー１０７に繋がり、右テンプルバー１０７の先端に右モダン（右イヤーパッド）１０９が設けられている。
【００９５】
右ヒンジ１０５付近のアイフレーム１０１の一部（または右テンプルバー１０７内）には、情報処理部１１（数ミリ角の集積回路）が埋め込まれている。この情報処理部１１は、マイクロコンピュータ、メモリ、通信処理部、種々なセンサ群を含むセンサ部などを集積したＬＳＩにより構成される（情報処理部１１の詳細については、図１９を参照して後述する）。
【００９６】
リチウムイオン電池などの小型電池ＢＡＴが、例えば左ヒンジ１０４付近の左テンプルバー１０６内（あるいはモダン１０８または１０９内）に埋め込まれ、アイウエア１００の動作に必要な電源となっている。
【００９７】
左ヒンジ１０４寄りの左アイフレーム１０２端部には、適宜、左カメラ１３Ｌが取り付けられ、右ヒンジ１０５寄りの右アイフレーム１０１端部には、適宜、右カメラ１３Ｒが取り付けられている。これらのカメラは、超小型のＣＣＤイメージセンサを用いて構成できる。
【００９８】
これらのカメラ（１３Ｌ、１３Ｒ）は、ステレオカメラを構成するものでもよい。あるいはこれらのカメラの位置に赤外線カメラ（１３Ｒ）とレーザー（１３Ｌ）を配置し、赤外線カメラ＋レーザーによる距離センサを構成してもよい。この距離センサは、超音波を集音する小型半導体マイク（１３Ｒ）と超音波を放射する小型圧電スピーカー（１３Ｌ）などで構成することもできる。
【００９９】
なお、左右カメラ１３Ｌ／１３Ｒの代わりに、あるいは左右カメラ１３Ｌ／１３Ｒに加えて、ブリッジ１０３部分に図示しない中央カメラを設ける実施形態も考えられる。逆に、カメラを全く装備しない実施形態もあり得る（これらのカメラは、図１９ではカメラ１３として示されている）。
【０１００】
左アイフレーム１０２には左ディスプレイ１２Ｌがはめ込まれ、右アイフレーム１０１には右ディスプレイ１２Ｒがはめ込まれている。このディスプレイは、左右のアイフレームの少なくとも一方に設けられ、フィルム液晶などを用いて構成できる。具体的には、偏光板を用いないポリマー分散型液晶（ＰＤＬＣ）を採用したフィルム液晶表示デバイスを用いて、左右のディスプレイ１２Ｌ、１２Ｒの一方または両方を構成できる（このディスプレイは、図１９ではディスプレイ１２として示されている）。なお、右アイフレーム１０１だけにディスプレイ１２Ｒを設けるように構成した場合は、左アイフレーム１０２には透明プラスチック板をはめ込むだけでよい。
【０１０１】
左右のアイフレーム１０２、１０１の間であって、ブリッジ１０３の下側には、ノーズパッド部が設けられる。このノーズパッド部は、左ノーズパッド１５０Ｌと右ノーズパッド１５０Ｒのペアで構成される。
【０１０２】
ノーズパッド１５０Ｒより斜め上方のアイフレーム１０１上には、ＥＯＧ電極１５１ａが設けられている。この電極１５１ａは、弾性材で保持した導電性材により構成される。弾性材としては、柔らかくて適度な弾力を持つスポンジやシリコーン製のクッション材を用いることができる。導電性材としては、金属（ステンレスボール）や導電高分子などを用いることができる。右ディスプレイ１２Ｒ側の右眼中心位置と点対称となる位置には、ＥＯＧ電極１５１ｂが設けられる。電極１５１ｂも、弾性材で保持した導電性材により構成できる。
【０１０３】
同様に、ノーズパッド１５０Ｌより斜め上方のアイフレーム１０２上には、ＥＯＧ電極１５２ａが設けられている。この電極１５１ａも、電極１５１ａと同様に、弾性材で保持した導電性材により構成できる。左ディスプレイ１２Ｌ側の左眼中心位置と点対称となる位置には、ＥＯＧ電極１５２ｂが設けられる。電極１５２ｂも、弾性材で保持した導電性材により構成できる。
【０１０４】
電極１５１ａと１５１ｂは、それぞれ、Ｃｈ１ＡＤＣ１５１０の「＋」入力と「−」入力に接続される。電極１５２ａと１５２ｂは、それぞれ、Ｃｈ２ＡＤＣ１５２０の「＋」入力と「−」入力に接続される。そして、電極１５２ｂと１５１ｂは、それぞれ、Ｃｈ０ＡＤＣ１５１２の「＋」入力と「−」入力に接続される。
【０１０５】
これらのＡＤＣからの出力は、ユーザの眼の動きに応じて異なる信号波形を持ち、ユーザの眼動に応じて内容が異なるデジタルデータとして、図１９の情報処理部１１に供給される。電極１５１ａ，１５１ｂ，１５２ａ，１５２ｂは、視線検出センサとして用いられ、３つのＡＤコンバータとともに図１９の眼動検出部１５の構成要素となっている。
【０１０６】
図１９は、種々な実施の形態に取り付け可能な情報処理部（プロセッサ１１ａ、不揮発性メモリ１１ｂ、メインメモリ１１ｃ、通信処理部１１ｄ、センサ部１１ｅなどを含む集積回路）１１と、その周辺デバイス（ディスプレイ１２、カメラ１３、眼動厳守粒１５、電源ＢＡＴなど）との関係を説明する図である。
【０１０７】
図１９の例では、情報処理部１１は、プロセッサ１１ａ、不揮発性メモリ１１ｂ、メインメモリ１１ｃ、通信処理部１１ｄ、センサ部１１ｅなどで構成されている。プロセッサ１１ａは製品仕様に応じた処理能力を持つマイクロコンピュータで構成できる。このマイクロコンピュータが実行する種々なプログラムおよびプログラム実行時に使用する種々なパラメータは、不揮発性メモリ１１ｂに格納しておくことができる。プログラムを実行する際のワークエリアはメインメモリ１１ｃが提供する。
【０１０８】
センサ部１１ｅは、図１８、図２０あるいは図２１のアイウエア１００（もしくは図１他のフレーム１１０）の位置および／またはその向きを検出するためのセンサ群を含んでいる。これらのセンサ群の具体例としては、３軸方向（ｘ−ｙ−ｚ方向）の移動を検出する加速度センサ、３軸方向の回転を検出するジャイロ、絶対方位を検出する地磁気センサ（羅針盤機能）、電波や赤外線などを受信して位置情報その他を得るビーコンセンサがある。この位置情報その他の獲得には、iBeacon（登録商標）あるいはBluetooth（登録商標）4.0を利用できる。
【０１０９】
情報処理部１１に利用可能なＬＳＩは、製品化されている。その一例として、東芝セミコンダクター＆ストレージ社の「ウエアラブル端末向けＴＺ１０００シリーズ」がある。このシリーズのうち、製品名「ＴＺ１０１１ＭＢＧ」は、ＣＰＵ（１１ａ、１１ｃ）、フラッシュメモリ（１１ｂ）、Bluetooth Low Energy（登録商標）（１１ｄ）、センサ群（加速度センサ、ジャイロ、地磁気センサ）（１１ｅ）、２４ビットデルタシグマＡＤＣ、Ｉ／Ｏ（ＵＳＢ他）を持つ。
【０１１０】
プロセッサ１１ａで何をするかは、通信処理部１１ｄを介して、図示しない外部サーバ（またはパーソナルコンピュータ）から、指令することができる。通信処理部１１ｄでは、ZigBee（登録商標）、Bluetooth（登録商標）、Wi-Fi（登録商標）などの既存通信方式を利用できる。プロセッサ１１ａでの処理結果は、通信処理部１１ｄを介して、図示しないサーバなどへ送ることができる。
【０１１１】
情報処理部１１のシステムバスには、ディスプレイ１２（１２Ｌと１２Ｒ）、カメラ１３（１３Ｌと１３Ｒ）、眼動検出部１５等が接続されている。図１９の各デバイス（１１〜１５）は、バッテリＢＡＴにより給電される。
【０１１２】
図１９の眼動検出部１５は、視線検出センサを構成する４つの眼動検出電極（１５１ａ，１５１ｂ，１５２ａ，１５２ｂ）と、これらの電極から眼動に対応したデジタル信号を取り出す３つのＡＤＣ（１５１０、１５２０、１５１２）と、これらＡＤＣからの出力データ（図１１〜図１６の検出信号波形に対応したデータ）をプロセッサ１１ａ側に出力する回路を含んでいる。プロセッサ１１ａは、ユーザの種々な眼動（上下動、左右動、瞬目（瞬き）、眼瞑りなど）から、その眼動の種類に対応する指令を解釈し、その指令を実行する。
【０１１３】
眼動の種類に対応する指令の具体例としては、眼動が例えば眼瞑りなら視線の先にある情報項目を選択し（コンピュータマウスのワンクリックに類似）、連続した複数回の瞬目（瞬き）あるいはウインクなら選択された情報項目に対する処理の実行を開始させる（コンピュータマウスのダブルクリックに類似）指令がある。この指令は、眼動検出部１５を用いた情報入力Ｂの一例である。
【０１１４】
図２０は、ゴーグル型アイウエア（左右両眼のアイフレームが連続したタイプ）１００の一例を裏面側から見た図である。このゴーグル型アイウエア１００は、フレーム１１０上のクッション内に図２（または図８）のＥＯＧ電極（１５１ａ、１５１ｂ、１５２ａ、１５２ｂ）を持っている。フレーム１１０内のレンズ部分にはフィルム液晶が貼り付けられ、ＡＲ表示を可能にするディスプレイ１２Ｌ／１２Ｒを構成している。このゴーグル型アイウエア１００はさらに、図１９で説明した情報処理部１１と電池ＢＡＴも持っている。
【０１１５】
図２１は、ユーザの顔面と接触する面上の適切な位置（図８等を参照）に眼電位検出電極が配置された場合のゴーグル型アイウエア（左右両眼のアイカップが分離したタイプ）１００の一例を正面側から見た図である。このゴーグル型アイウエア１００も、ＡＲ表示を可能にするディスプレイ１２Ｌ／１２Ｒおよび、図１９で説明した情報処理部１１と電池ＢＡＴを持っている。
【０１１６】
図２１のゴーグル型アイウエア１００は、ＥＯＧ電極（１５１ａ、１５１ｂ、１５２ａ、１５２ｂ）の配置方法は図１８のメガネ型と同様であるが、ゴーグル本体をユーザの頭部にバンド固定する構成を持つため、図１８よりも電極の接触状態の安定性が高い。
【０１１７】
＜一実施の形態における要点の纏め＞
（１）一実施の形態に係る眼電位検出装置（図１、図２、図７等）では、ユーザの両眼周辺において、最小４個のＥＯＧ電極を、以下の条件に合うように配置する：
左眼側の電極２個（１５２ａ、１５２ｂ）と右眼側の電極２個（１５１ａ、１５１ｂ）は、左右両眼の中心を結ぶ線の中点から垂直方向に引いた線（例えばユーザの鼻筋に沿った線）に対して線対称に配置、かつ
左右両眼の中心を結ぶ線よりも上側の電極２個（１５２ａ、１５１ａ）および下側の電極２個（１５２ｂ、１５１ｂ）は、左眼中心（Ｐ１）を通る垂線を左右に跨ぐと眼電位の検出極性が変る変曲域を含む左所定範囲（ＡＸＬ）と、右眼中心（Ｐ２）を通る垂線を左右に跨ぐと眼電位の検出極性が変る変曲域を含む右所定範囲（ＡＸＬ）を避けて、配置。
【０１１８】
（２）他の実施の形態に係る眼電位検出装置（図２等）では、大きな眼動検出信号振幅を得ること、および水平垂直情報（左右眼動と上下眼動の情報）の相互混入排除の両面から、ユーザの両眼に対向する所定領域内（例えばフレーム１１０の形状内）において、最小４個のＥＯＧ電極を、以下の条件に合うように配置する：
左眼側の電極２個（１５２ａ、１５２ｂ）と右眼側の電極２個（１５１ａ、１５１ｂ）は、左右両眼の中心を結ぶ線の中点から垂直方向に引いた線（例えばユーザの鼻筋に沿った線）に対して線対称に配置、
左眼側の電極２個（１５２ａ、１５２ｂ）は左の眼球中心（Ｐ１）から点対称、および右眼側の電極２個（１５１ａ、１５１ｂ）は右の眼球中心（Ｐ２）から点対称、かつ
左右両眼の中心を結ぶ線よりも下側の電極２個（１５２ｂ、１５１ｂ）は、左眼中心（Ｐ１）の周辺に存在し眼電位の検出極性が変る変曲域を含む左所定範囲（ＡＸＬ）と、右眼中心（Ｐ２）の周辺に存在し眼電位の検出極性が変る変曲域を含む右所定範囲（ＡＸＬ）を避けつつ、左右の所定範囲（ＡＸＬ、ＡＸＲ）の外側に配置。
【０１１９】
（３）垂直方向の眼球移動の検出（両眼、片眼、共通）に関しては、最小２個のＥＯＧ電極を、以下の条件に合うように配置する（図３〜図６等）：
右側の電極２個（１５１ａ、１５１ｃ）または左側の電極２個（１５２ａ、１５２ｃ）は、両眼の中心を結ぶ水平線に対して線対称で、
右または左の眼球中心から垂直方向に配置され、かつ、その眼球の直径（大人の眼球は約２５ｍｍ）よりも外側（なるべく眼球中心寄り）。
【０１２０】
（４）水平方向の眼球移動の検出（両眼の場合）に関しては、最小２個のＥＯＧ電極を、以下の条件に合うように配置する（図３、図４等）：
両眼の中心を結ぶ水平線上で、左右眼球の外側（図３の例では１５２ｂと１５１ｂ：大人の両眼中心間隔を約６５ｍｍとし、眼球直径を約２５ｍｍとすれば、水平方向の電極間隔は約９０ｍｍ)。
【０１２１】
（５）水平方向の眼球移動の検出（両眼の場合）に関しては、最小２個のＥＯＧ電極を、以下の条件に合うように配置する（図２、図５、図６等）：
両眼の中心を結ぶ水平線の下および／または上で、左右眼球の外側（図２、図５の例では１５２ｂと１５１ｂ；図６の例では１５２ｂと１５１ｂ、および／または１５２ｄと１５１ｄ)。
【０１２２】
上記の条件にあうＥＯＧ電極配置を持つ装置としては、ユーザが身に付けるアイウエア（図１８、図２０、図２１等）と、ユーザが身に付けるものではなく使用時にユーザが顔を接触させる機材（図示せず）がある。前者のアイウエアの典型例として、ゴーグルがある。また、後者の機材の典型例としては、望遠鏡、顕微鏡、あるいはペリスコープの接眼部がある。
【０１２３】
実施の形態を参照して説明した眼電位検出技術を例えばゴーグル型ウェアラブルデバイス（皮膚接触部分にクッションを持つデバイス）に適用する事により、ＥＯＧ電極の皮膚接触によるユーザの不快感を構造的に低減できる。
【０１２４】
更に、ゴーグル型では電極配置の自由度が大きいため、電極の位置および個数を最適化する事ができ、眼動検出の精度や信頼性を向上させる事ができる。
【０１２５】
＜出願当初請求項の内容と実施形態との対応関係例＞
［１］一実施の形態に係る眼電位検出装置は、最小限４個の電極（１５１ａ、１５１ｂ、１５２ａ、１５２ｂ）を用いて眼電位を検出する。この装置において、左眼側の電極２個（１５２ａ、１５２ｂ）と右眼側の電極２個（１５１ａ、１５１ｂ）は、左右両眼の中心を結ぶ線の中点から垂直方向に引いた線（例えばユーザの鼻筋に沿った線）に対して線対称に配置される。左右両眼の中心を結ぶ線よりも下側の電極２個（１５２ｂ、１５１ｂ）は、左眼中心位置（Ｐ１）を通る垂線を左右に跨ぐと眼電位の検出極性が変る変曲域を含む左所定範囲（ＡＸＬ）と、右眼中心位置（Ｐ２）を通る垂線を左右に跨ぐと眼電位の検出極性が変る変曲域を含む右所定範囲（ＡＸＬ）を避けて配置される。そして、前記下側の電極２個（１５２ｂ、１５１ｂ）から左右方向の眼動に対応した第１のチャネル信号（大振幅のＣｈ０信号）を検出する。
【０１２６】
［２］前記右眼側の電極２個（１５１ａ、１５１ｂ）から第２のチャネル信号（Ｃｈ１）を検出し、前記左眼側の電極２個（１５２ａ、１５２ｂ）から第３のチャネル信号（Ｃｈ２）を検出する。左右方向の眼動に対して前記第２チャネル信号（Ｃｈ１）と前記第３チャネル信号（Ｃｈ２）が逆相となる期間（図１１のＴＸ２０−１）において、前記第１チャネル信号（Ｃｈ０）により前記左右方向の眼動を検出する。
【０１２７】
［３］前記右眼側の電極２個（１５１ａ、１５１ｂ）から第２のチャネル信号（Ｃｈ１）を検出し、前記左眼側の電極２個（１５２ａ、１５２ｂ）から第３のチャネル信号（Ｃｈ２）を検出する。前記第１、第２、または第３チャネル信号（Ｃｈ０、Ｃｈ１、またはＣｈ２）に対して（左右方向、上下方向などの）眼動に関するキャリブレーションを行うときにユーザの視線が向く位置に、１以上のマーカー（Ｍ０１、Ｍ０２、Ｍ１１、Ｍ１２、Ｐ１、Ｐ２）が配設される。
【０１２８】
［４］左右両眼の中心を結ぶ線よりも上側の電極２個（図２の１５２ａ、１５１ａ）は、前記左眼中心位置（Ｐ１）を通る垂線と前記右眼中心位置（Ｐ２）を通る垂線とで挟まれる領域の内側で、前記左所定範囲（ＡＸＬ）と前記右所定範囲（ＡＸＬ）を避けて配置される。
【０１２９】
［５］左右両眼の中心を結ぶ線よりも上側の電極２個（図６の１５２ｄ、１５１ｄ）は、前記左眼中心位置（Ｐ１）を通る垂線と前記右眼中心位置（Ｐ２）を通る垂線とで挟まれる領域の外側で、前記左所定範囲（ＡＸＬ）と前記右所定範囲（ＡＸＬ）を避けて配置され、前記左右両眼の中心を結ぶ線よりも上側の電極２個（図６の１５２ｄ、１５１ｄ）から第４のチャネル信号（Ｃｈ３）を検出される。
【０１３０】
［６］一実施の形態に係る眼電位検出装置は、最小限４個の電極（１５１ａ、１５１ｂ、１５２ａ、１５２ｂ）を用いて眼電位を検出する。この装置において、左眼側の電極２個（１５２ａ、１５２ｂ）と右眼側の電極２個（１５１ａ、１５１ｂ）は、左右両眼の中心を結ぶ線の中点から垂直方向に引いた線（例えばユーザの鼻筋に沿った線）に対して線対称に配置される。前記左眼側の電極２個（１５２ａ、１５２ｂ）は左の眼球中心位置（Ｐ１）から点対称に配置され、前記右眼側の電極２個（１５１ａ、１５１ｂ）は右の眼球中心位置（Ｐ２）から点対称に配置される。左右両眼の中心を結ぶ線よりも下側の電極２個（１５２ｂ、１５１ｂ）の間隔（例えば１２４ｍｍ）は左右両眼の中心間隔（例えば６５ｍｍ）よりも所定値（例えば５０ｍｍ）以上広くなるように配置される。そして、左右両眼の中心を結ぶ線よりも下側の電極２個（１５２ｂ、１５１ｂ）から左右方向の眼動に対応した第１のチャネル信号（大振幅のＣｈ０信号）を検出する。
【０１３１】
［７］前記所定値は、平均的な大人の左右眼球の直径（約２５ｍｍ）の和（約５０ｍｍ）よりも大きい。
【０１３２】
［８］前記右眼側の電極２個（１５１ａ、１５１ｂ）から第２のチャネル信号（Ｃｈ１）を検出し、前記左眼側の電極２個（１５２ａ、１５２ｂ）から第３のチャネル信号（Ｃｈ２）を検出する。そして、左右方向の眼動に対して前記第２チャネル信号（Ｃｈ１）と前記第３チャネル信号（Ｃｈ２）が逆相となる期間（図１１のＴＸ２０−１）において、前記第１チャネル信号（Ｃｈ０）により前記左右方向の眼動を検出する。
【０１３３】
［９］前記右眼側の電極２個（１５１ａ、１５１ｂ）から第２のチャネル信号（Ｃｈ１）を検出し、前記左眼側の電極２個（１５２ａ、１５２ｂ）から第３のチャネル信号（Ｃｈ２）を検出する。前記第１、第２、または第３チャネル信号（Ｃｈ０、Ｃｈ１、またはＣｈ２）に対して（左右方向、上下方向などの）眼動に関するキャリブレーションを行うときに、ユーザの視線が向く位置に、１以上のマーカー（Ｍ０１、Ｍ０２、Ｍ１１、Ｍ１２、Ｐ１、Ｐ２）が配設される。
【０１３４】
［１０］［１］の装置において、ユーザの顔面に接するフレーム（１１０）に前記電極（１５１ａ、１５１ｂ、１５２ａ、１５２ｂ）が組み込まれたアイウエア（図２０のゴーグルなど）を提供する。
【０１３５】
［１１］［１］の装置において、前記電極（１５１ａ、１５１ｂ、１５２ａ、１５２ｂ）が組み込まれたフレーム（図２などの１１０）を提供する。このフレームは、望遠鏡など、アイウエア以外の接眼部に利用できる。
【０１３６】
［１２］［１］の装置において、前記最小限４個の電極（１５１ａ、１５１ｂ、１５２ａ、１５２ｂ）のうちの少なくとも２つの電極から検出される信号（Ｃｈ０信号、Ｃｈ１信号、Ｃｈ２信号）に基づいて、瞬目（瞬き）、眼瞑り、左右の眼動、上下の眼動、または左右のウインクを検出する。
【０１３７】
［１３］［６］の装置において、ユーザの顔面に接するフレーム（１１０）に前記電極（１５１ａ、１５１ｂ、１５２ａ、１５２ｂ）が組み込まれたアイウエア（図２０のゴーグルなど）を提供する。
【０１３８】
［１４］［６］の装置において、前記電極（１５１ａ、１５１ｂ、１５２ａ、１５２ｂ）が組み込まれたフレーム（図２などの１１０）を提供する。このフレームは、望遠鏡など、アイウエア以外の接眼部に利用できる。
【０１３９】
［１５］［６］の装置において、前記最小限４個の電極（１５１ａ、１５１ｂ、１５２ａ、１５２ｂ）のうちの少なくとも２つの電極から検出される信号（Ｃｈ０信号、Ｃｈ１信号、Ｃｈ２信号）に基づいて、瞬目（瞬き）、眼瞑り、左右の眼動、上下の眼動、または左右のウインクを検出する。
【０１４０】
［１６］他の実施の形態に係る方法は、最小限４個の電極（１５１ａ、１５１ｂ、１５２ａ、１５２ｂ）を用いて眼電位を検出する眼電位検出装置を用いる。この装置では、左眼側の電極２個（１５２ａ、１５２ｂ）と右眼側の電極２個（１５１ａ、１５１ｂ）が、左右両眼の中心を結ぶ線の中点から垂直方向に引いた線に対して線対称に配置される。また、左右両眼の中心を結ぶ線よりも下側の電極２個（１５２ｂ、１５１ｂ）は、左眼中心位置（Ｐ１）を通る垂線を左右に跨ぐと眼電位の検出極性が変る変曲域を含む左所定範囲（ＡＸＬ）と、右眼中心位置（Ｐ２）を通る垂線を左右に跨ぐと眼電位の検出極性が変る変曲域を含む右所定範囲（ＡＸＬ）を避けて配置される。この方法において、
前記下側の電極２個（１５２ｂ、１５１ｂ）から左方向の眼動に対応した極性（図１１の例では、信号レベル増加方向の極性）の信号（図１２の期間ＴＸ２０−１における大振幅の上向きＣｈ０信号）を検出し、前記下側の電極２個（１５２ｂ、１５１ｂ）から右方向の眼動に対応した別極性（図１１の例では、信号レベル減少方向の極性）の信号（図１２の期間ＴＸ２０−１における大振幅の下向きＣｈ０信号）を検出する。
【０１４１】
［１７］［１６］の方法で検出される前記信号（図１２の期間ＴＸ２０−１における大振幅のＣｈ０信号）に対して、ユーザ毎にキャリブレーション（図１７）を行う。
【０１４２】
この発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。
【０１４３】
例えば、実施形態では人の眼電位を検出する場合で説明を行ったが、本願の実施形態は、帯電した眼球を持つ生物（例えばチンパンジー）の眼電位検出に利用することも可能である。
【０１４４】
これら実施形態やその変形は、発明の範囲や要旨に含まれるとともに、特許請求の範囲に記載された発明とその均等の範囲に含まれる。なお、開示された複数の実施形態のうちのある実施形態の一部あるいは全部と、開示された複数の実施形態のうちの別の実施形態の一部あるいは全部を、組み合わせることも、発明の範囲や要旨に含まれる。
【符号の説明】
【０１４５】
１００…アイウエア（ゴーグル型またはメガネ型）；１１０…アイフレーム；１１…情報処理部（プロセッサ１１ａ、不揮発性メモリ１１ｂ、メインメモリ１１ｃ、通信処理部１１ｄなどを含む集積回路）；ＢＡＴ…電源（リチウムイオン電池など）；１２…ディスプレイ部（右ディスプレイ１２Ｒと左ディスプレイ１２Ｌ：フィルム液晶など）；ＩＭ１…右表示画像（テンキー、アルファベット、文字列、アイコンなど）；ＩＭ２…左表示画像（テンキー、アルファベット、文字列、アイコンなど）；１３…カメラ（右カメラ１３Ｒと左カメラ１３Ｌ、またはブリッジ１０３部分に取り付けられた図示しないセンターカメラ）；１５…眼動検出部（視線検出センサ）；１５１０…右側（Ｃｈ１）ＡＤコンバータ；１５２０…左側（Ｃｈ２）ＡＤコンバータ；１５１２…左右間（Ｃｈ０）ＡＤコンバータ；１５１４…左右間（Ｃｈ３）ＡＤコンバータ。
【図１】
0006426589.tif 000002
【図２】
0006426589.tif 000003
【図３】
0006426589.tif 000004
【図４】
0006426589.tif 000005
【図５】
0006426589.tif 000006
【図６】
0006426589.tif 000007
【図７】
0006426589.tif 000008
【図８】
0006426589.tif 000009
【図９】
0006426589.tif 000010
【図１０】
0006426589.tif 000011
【図１１】
0006426589.tif 000012
【図１２】
0006426589.tif 000013
【図１３】
0006426589.tif 000014
【図１４】
0006426589.tif 000015
【図１５】
0006426589.tif 000016
【図１６】
0006426589.tif 000017
【図１７】
0006426589.tif 000018
【図１８】
0006426589.tif 000019
【図１９】
0006426589.tif 000020
【図２０】
0006426589.tif 000021
【図２１】
0006426589.tif 000022